(57)【要約】【課題】水中に没した際に立ち上る気泡による視覚的な演出効果に優れ、しかも、一般的な直線状の電極体を採用しながらも略環状の放出口からの概ね均一な気泡の放散が可能な水素水生成装置を提供する。【解決手段】複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置であって、前記気泡放出領域の略環状形状に沿った仮想多角形の各辺と対応する前記装置本体上の位置に直線状の積層電極体を各辺の伸延方向に沿ってそれぞれ配置して略環状に配列させた。【選択図】図１０
2020093219.tif 000002
【特許請求の範囲】
【請求項１】
複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置であって、
前記気泡放出領域の略環状形状に沿った仮想多角形の各辺と対応する前記装置本体上の位置に直線状の積層電極体を各辺の伸延方向に沿ってそれぞれ配置して略環状に配列させたことを特徴とする水素水生成装置。
【請求項２】
略環状に配列した積層電極体の内方領域に光源を配したことを特徴とする請求項１に記載の水素水生成装置。
【請求項３】
前記光源を前記積層電極体の上端よりも低い位置に配置したことを特徴とする請求項２に記載の水素水生成装置。
【請求項４】
前記積層電極体は複数の電極板が間隙を介して層状に重畳する構造を有するものであり、同積層電極体の沿層方向を前記気泡放出領域に指向させて配置したことを特徴とする請求項１〜３いずれか１項に記載の水素水生成装置。
【請求項５】
前記電極板には、気泡の浮上方向と略同方向に向けて伸延する複数のスリットが形成されていることを特徴とする請求項４に記載の水素水生成装置。
【請求項６】
前記各スリットは、前記積層電極体をその各電極板の重畳方向に貫通していることを特徴とする請求項５に記載の水素水生成装置。
【発明の詳細な説明】
【技術分野】
【０００１】
本発明は、水面下に没して使用する水素水生成装置に関する。
【背景技術】
【０００２】
従来、飲用や浴用など様々な用途に供すべく、水を電気分解して水素を溶存させた電解水を生成する水素水生成装置が知られている。
【０００３】
中でも、装置自体を水面下に配置し、水中に水素水を拡散させる水素水生成装置（以下、水中型水素水生成装置ともいう。）は、例えば浴槽の浴湯中に没して使用することで浴湯に水素を溶存させることができ、使用者が湯船に浸かれば体全体で水素水の効果を享受することが可能となる（例えば、特許文献１参照。）。
【先行技術文献】
【特許文献】
【０００４】
【特許文献１】特開２０１７−２０５７４９号公報
【発明の概要】
【発明が解決しようとする課題】
【０００５】
ところで、上記従来の水中型水素水生成装置は、電解効率に優れ、多量の水素を浴湯中に拡散するのに優れた装置である。
【０００６】
実際にこの装置を浴湯中へ沈めると、浴湯中へ放出される水素は、肉眼では殆ど視認できないほど極めて小さな気泡であり、やや白濁した煙状となって浴湯中を立ち上る。
【０００７】
水素の気泡径が小さい場合、浴湯との接触面積は増大するため、溶存水素量を向上させる観点からは好ましい状態と言える。
【０００８】
しかしながら、水中型水素水生成装置の使用者の中には、水素といえば気体状であると強くイメージする者も多く存在しており、装置から視認可能な多数の気泡がぷくぷくと浮かび上がる方が、あたかも大量の水素が発生しているようにも思える。
【０００９】
それ故、発生する気泡が極めて微細な従来の水中型水素水生成装置は、立ち上る気泡による視覚的な演出効果という点において、未だ改良の余地が残されていた。
【００１０】
また本発明者らは鋭意研究により、立ち上る気泡は、例えば装置上の限られた一箇所の穴から水面に向けて直線状に放出されるよりは、同じ量の気泡であっても略環状の放出口から満遍なく放出されて浴湯中を気泡群が筒状に立ち上る方が気泡の発生量がより多く見え視覚効果が高いことを見出しているが、このような気泡の放出口形状や放出態様を有する水中型水素水生成装置は未だ提案されていない。
【００１１】
また併せて、視覚効果を高めるためには略環状とした放出口から凡そ満遍なく気泡を立ち上らせる必要があるが、気泡は浮かび上がりやすいルートを優先的に流れる傾向があり、発生した気泡を略環状とした放出口全体に偏りなく分配するのは困難である。
【００１２】
放出口の下方にあたる装置内部に環状の放出口と同形状の電極体を配置すれば、偏りのない気泡の放出を実現することは可能であるが、一般的な電極体は棒状や矩形板状など直線状であり、このような特殊形状の電極体は製造コストの高騰を招来してしまう。
【００１３】
本発明は、斯かる事情に鑑みてなされたものであって、水中に没した際に立ち上る気泡による視覚的な演出効果に優れ、しかも、一般的な直線状の電極体を採用しながらも略環状の放出口からの概ね均一な気泡の放散が可能な水素水生成装置を提供する。
【課題を解決するための手段】
【００１４】
上記従来の課題を解決するために、本発明に係る水素水生成装置では、（１）複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置であって、前記気泡放出領域の略環状形状に沿った仮想多角形の各辺と対応する前記装置本体上の位置に直線状の積層電極体を各辺の伸延方向に沿ってそれぞれ配置して略環状に配列させた。
また、本発明に係る水素水生成装置では、以下の点にも特徴を有する。
（２）略環状に配列した積層電極体の内方領域に光源を配したこと。
（３）前記光源を前記積層電極体の上端よりも低い位置に配置したこと。
（４）前記積層電極体は複数の電極板が間隙を介して層状に重畳する構造を有するものであり、同積層電極体の沿層方向を前記気泡放出領域に指向させて配置したこと。
（５）前記電極板には、気泡の浮上方向と略同方向に向けて伸延する複数のスリットが形成されていること。
（６）前記各スリットは、前記積層電極体をその各電極板の重畳方向に貫通していること。
【発明の効果】
【００１５】
本発明に係る水素水生成装置によれば、複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置であって、前記気泡放出領域の略環状形状に沿った仮想多角形の各辺と対応する前記装置本体上の位置に直線状の積層電極体を各辺の伸延方向に沿ってそれぞれ配置して略環状に配列させたため、水中に没した際に立ち上る気泡による視覚的な演出効果に優れ、しかも、一般的な直線状の電極体を採用しながらも略環状の放出口からの概ね均一な気泡の放散が可能な水素水生成装置を提供することができる。
【００１６】
また、略環状に配列した積層電極体の内方領域に光源を配置すれば、光源から放射される光が積層電極体で反射して、立ち上る気泡に対し多角度から光を照射することができ、使用者に対しより幻想的な視覚効果をもたらすことができる。
【００１７】
また、前記光源を前記積層電極体の上端よりも低い位置に配置すれば、光源から放射された光を上方へ向けてより多く反射させることができ、気泡と光による視覚効果を更に高めることができる。
【００１８】
また、前記積層電極体は複数の電極板が間隙を介して層状に重畳する構造を有するものであり、同積層電極体の沿層方向を前記気泡放出領域に指向させて配置すれば、積層電極体にて発生した気泡を円滑に気泡放出領域に向けて剥離させることができる。
【００１９】
また、前記電極板には、気泡の浮上方向と略同方向に向けて伸延する複数のスリットが形成されていることとすれば、電極板の間隙に水を効率良く供給することができ、しかも、発生した気泡を積層電極体から円滑に剥離させることができる。
【００２０】
また、前記各スリットは、前記積層電極体をその各電極板の重畳方向に貫通していることとすれば、隣り合う電極板同士の対向面積を減らすことなく電極板の間隙への水の供給をより効率的に行うことができる。
【図面の簡単な説明】
【００２１】
【図１】本実施形態に係る水素水生成装置の使用状態を示す説明図である。
【図２】水素水生成装置の内部構成を示した説明図である。
【図３】装置本体の内部構成を示した説明図である。
【図４】積層電極体の外観形状を示した説明図である。
【図５】介装電極板及び電極板連結体の構成を示す説明図である。
【図６】積層電極体の組み付け状態を示す説明図である。
【図７】水素水生成装置の電気的構成を示したブロック図である。
【図８】水素水生成装置にて実行される処理を示したフローである。
【図９】水素水生成装置にて実行される処理を示したフローである。
【図１０】気泡放出領域と積層電極体との位置関係を示した説明図である。
【図１１】他の例に係る気泡放出領域と積層電極体との位置関係を示した説明図である。
【図１２】光源部と積層電極体との高さの関係を示した説明図である。
【発明を実施するための形態】
【００２２】
本発明は、複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置に関するものであり、水中に没した際に立ち上る気泡による視覚的な演出効果に優れ、しかも、一般的な直線状の電極体を採用しながらも略環状の放出口からの概ね均一な気泡の放散が可能な水素水生成装置の提供を目的とするものである。
【００２３】
以下、本実施形態に係る水素水生成装置について、図面を参照しながら詳説する。図１は本実施形態に係る水素水生成装置Ａの使用状態を示した説明図である。
【００２４】
水素水生成装置Ａは、装置自体を水面下に配置し、水中に水素気泡や電解水素水を拡散させる水素水生成装置であり、例えば図１に示すように、浴槽１０内の底部１１に配置し、浴槽１０内の浴湯１２に水素の気泡１３や電解水素水１４を供給可能としている。
【００２５】
また特に水素水生成装置Ａは、装置上面に形成した気泡１３の放出口１５により上面視環状の気泡放出領域１６を形成しており、気泡放出領域１６から水面へ向けて大凡均一な気泡の放出がなされるよう構成している。
【００２６】
また更なる機能として水素水生成装置Ａには、放出した気泡１３に対して光を照射可能な光演出機能が備えられており、気泡がより多く放出されているような視覚効果をより助長して、豊かな水素気泡に包まれながら水素の効果を享受しつつくつろげる入浴のひとときを演出するようにしている。
【００２７】
図２は、水素水生成装置Ａの構成を示した分解斜視図である。図２に示すように水素水生成装置Ａは、上部カバー体２０ａと、装置本体２１と、下部カバー体２０ｂとで構成しており、上部カバー体２０ａと下部カバー体２０ｂとは、装置本体２１を収容する筐体２０を構成する。
【００２８】
上部カバー体２０ａは、装置本体２１の少なくとも上部をカバーする筐体としての機能を果たす上面視略円形の部材であり、中央部には装置本体２１に設けた操作ボタン３０を露出させるための操作ボタン露出孔２３が穿設されている。
【００２９】
また、上部カバー体２０ａの周縁から内方へ所定幅に亘り、放出口１５を形成している。この放出口１５の構成については追って詳説するが、水素水生成装置Ａでは周回りに沿った上面視環状の気泡放出領域１６を形成しており、この略全域から満遍なく気泡１３が放散されるよう構成している。
【００３０】
また、気泡放出領域１６よりも内方で操作ボタン露出孔２３よりも外方の領域は、放出口１５が無く気泡１３が放出されない非放出領域２４としており、図１で示したように、気泡放出領域１６から放たれた気泡１３が水面に向けて環状筒状（ここでは略円筒状）に立ち上るよう構成している。
【００３１】
下部カバー体２０ｂは、上部カバー体２０ａと対を成して筐体２０を構成する部材であり、装置本体２１の下部をカバーするものである。
【００３２】
装置本体２１は、水面下に没した際に浸水しないよう水密状に形成されており、図３に示すようにその内部には、二次電池にて構成した蓄電部２５や、電解に必要な電力の充電・供給を制御したり、水素水生成装置Ａの全体的な機能を実現するための制御等を行う制御部２６を備えた制御基板２７が配設されている。
【００３３】
また、装置本体２１の上部には、図２に示すように、操作ボタン３０と、光源部３１と、電解部３２とを配設している。
【００３４】
操作ボタン３０は、装置本体２１の電源のＯＮ／ＯＦＦや、機能の切替を行うべく使用者が操作するボタンであり、装置本体２１を筐体２０内に収容した際に、上部カバー体２０ａの操作ボタン露出孔２３から露出するよう構成している。なお本実施形態では、使用者がこの操作ボタン３０を操作するたびに、水素水生成装置Ａは、待機状態→弱電解モード→強電解モード→待機状態を繰り返すよう構成している。
【００３５】
また図３に示すように操作ボタン３０は、使用者による押下動作を伝達する伝達片３０ａ及び防水性を確保する可撓膜３０ｂを介して、制御基板２７上に配置されたスイッチ３３が操作されるよう構成している。制御部２６は、このスイッチ３３の操作により、使用者からの入力を受け付ける。
【００３６】
光源部３１は、先述した演出光を出射する部位であり、制御基板２７上に配したＬＥＤ３４と、同ＬＥＤ３４の実装位置に対応して装置本体２１の上部ケーシング２１ａに穿設した光出射孔２１ｂと、同光出射孔２１ｂの上部開口を水密状に閉蓋する透明素材で形成した光源キャップ３５とで構成している。なお、本明細書において光源はＬＥＤ３４自体ではなく、当該光源部３１を意味する。
【００３７】
また、本実施形態においてＬＥＤ３４はフルカラーＬＥＤを採用しており、制御部２６の制御により色を変化可能としている。ＬＥＤ３４からの光は、光出射孔２１ｂを通じ光源キャップ３５を透光して出射される。
【００３８】
また本実施形態において光源部３１は、次に述べる積層電極体３６に対応させて装置本体２１の上部に４箇所設けている。詳細は追って説明するが、光源部３１と積層電極体３６との位置関係は、光源部３１から出射された光が積層電極体３６に当たる位置関係としている。
【００３９】
電解部３２は、水素水生成装置Ａを浴湯１２中に沈めた際に、筐体２０内に浸入し装置本体２１外に存在する水を電解して水素の気泡１３や電解水素水１４の生成を行うための部位である。
【００４０】
本実施形態において電解部３２は、装置本体２１の周縁近傍に配置した４つの積層電極体３６で構成しており、各積層電極体３６は制御基板２７と電気的に接続していて制御基板２７から供給される電力により電解可能としている。
【００４１】
各積層電極体３６の装置本体２１上部での配置位置は、上部カバー体２０ａに形成した気泡放出領域１６の直下としており、気泡放出領域１６から満遍なく気泡１３が放出されるよう構成している。なお、この各積層電極体３６の配置位置は、本実施形態に係る水素水生成装置Ａの特徴的な構成であるため、追って詳説する。
【００４２】
図４に積層電極体３６の外観を示す。図４の特に左端部を参照すると分かるように、積層電極体３６は、複数（本実施形態では３枚）の電極板が間隙を介して層状に重畳する電極積層部３７と、同電極積層部３７より伸延させた２本の導通棒３８ａ及び導通棒３８ｂとを備えており、装置本体２１の上部に配置した際に平面視において略直線状の形状を有している。
【００４３】
電極積層部３７は、折畳み電極３９と、同折畳み電極３９の間隙に介装された介装電極板４０とで構成している。
【００４４】
介装電極板４０は図５（ａ）に示すように、後述する折畳み電極３９（電極板連結体４１）の電極板部４２と略同形状（略矩形状）の金属板体であり、折畳み電極３９の一側の極として機能するものである。介装電極板４０には長穴状のスリット４０ａが複数形成されており、電極板間への水の導入が容易になされるよう構成している。
【００４５】
また、スリット４０ａは装置本体２１上に配した際に気泡１３の浮上方向と略同方向に向けて伸延する長穴状としており、発生した気泡１３を介装電極板４０から円滑に剥離させることができるよう構成している。
【００４６】
また、介装電極板４０には破線で示すように導通棒３８ｂが接続される。この導通棒３８ｂは、装置本体２１の上部に設けた端子部（図示せず）に装着することで、制御基板２７と電気的に接続される。
【００４７】
一方、折畳み電極３９は、図５（ｂ）に示す電極板連結体４１を屈曲させて形成している。電極板連結体４１は一枚の金属平板から打ち抜き等によって得られたものであり、複数（本実施形態では２箇所）の電極板部４２と、各電極板部４２を電気的に接続する架橋部４３とを備えており、一点鎖線で示した各架橋部４３を横断する線に沿って屈曲させ、架橋部４３に屈曲部を形成することで折畳み電極３９が形成される。また、電極板連結体４１は、折畳み電極３９とした際に内側となる面は勿論のこと、表側となる面も金属面としており、光源部３１から出射される光が反射できるようにしている。
【００４８】
架橋部４３は、各電極板部４２を電気的に接続しつつ一体的な構成とするための部位である。特に、本実施形態では、図４に示すように、この架橋部４３に形成する屈曲構造を略半円弧状として、折畳み電極３９の製造の効率化と共に、電解能力の向上を図っている。
【００４９】
電極板部４２は、介装電極板４０の他側の極であって折畳み電極３９の電解機能を発揮する電極板として機能する部位である。この折畳み電極３９にも、電極板部４２に、積層電極体３６を装置本体２１上に配した際に気泡１３の浮上方向と略同方向に向けて伸延する長穴状のスリット４２ａを形成しており、電極板間への水の導入が容易としつつ、発生した気泡１３を折畳み電極３９から円滑に剥離させることができるよう構成している。
【００５０】
また、電極板連結体４１の２つの電極板部４２にそれぞれ形成されたスリット４２ａは、図５（ｂ）からも分かるように相互に対応させて形成しており、架橋部４３に屈曲部を形成して折畳み電極３９とした際に、一の電極板部４２のスリット４２ａと他の電極板部４２のスリット４２ａとが折畳み電極３９の厚み方向へ貫通するようにしている。
【００５１】
また、これら電極板連結体４１のスリット４２ａは、介装電極板４０に形成したスリット４０ａとも対応させて形成している。
【００５２】
従って、図４に示す積層電極体３６のスリット３７ａは、電極積層部３７の各電極板、すなわち、介装電極板４０や電極板部４２の重畳方向に貫通しており、隣り合う電極板同士の対向面積を減らすことなく電極板の間隙への水の供給をより効率的に行うことができるよう構成している。
【００５３】
なお、電極板連結体４１の電極板部４２には破線で示すように導通棒３８ａが接続され、折畳み電極３９に対し所定の電圧で電流を供給可能としている。この導通棒３８ａは、電極板連結体４１の折畳み前に電極板部４２に取付を行ってもよく、また、折畳み後に取り付けても良い。
【００５４】
そして、積層電極体３６は、図６に示すように、折畳み電極３９の各電極板部４２間に介装電極板４０を介装することで形成している。なお、介装電極板４０に示す符号４０ｂは、介装電極板４０と電極板部４２の内面との間の間隔を保持するためのスペーサである。このスペーサ４０ｂは、例えば樹脂などの絶縁材料にて形成しており、極間の導通を抑制しつつ間隔を保つ。
【００５５】
また、本実施形態において積層電極体３６の極間の間隙は0.3〜1.0mmとしており、電解効率に優れた狭隘電極体を構成している。
【００５６】
また、折畳み電極３９の各電極板部４２や介装電極板４０は、例えば板厚が0.1mm〜1.0mm、より好ましくは0.2mm〜0.5mmとすることができ、材質としては、例えば、白金をメッキしたチタン板などを用いることができる。
【００５７】
次に、本実施形態に係る水素水生成装置Ａの電気的構成について説明する。図７は水素水生成装置Ａの電気的構成を示したブロック図である。
【００５８】
制御基板２７上に構築される制御部２６は、その構成としてＣＰＵ４５、ＲＯＭ４６、ＲＡＭ４７、ＲＴＣ４８等を備えており、水素水生成装置Ａの稼動に必要なプログラムを実行可能としている。
【００５９】
具体的には、ＲＯＭ４６はＣＰＵ４５の処理において必要なプログラム等が格納されており、ＲＡＭ４７はそのプログラム等の実行に際し一時的な記憶領域として機能する。
【００６０】
例えばＲＯＭ４６の所定領域には、処理を実現するためのプログラムの他、弱電解モードにて積層電極体３６に供給する電流の設定値である第１の電流値や、強電解モードにて供給する電力の設定値である第２の電流値、弱電解モードでのＬＥＤ３４の発光色の設定値である第１の色の値や、強電解モードでの発光色の設定値である第２の色の値などが記憶されている。
【００６１】
また例えばＲＡＭ４７の所定領域には、水素水生成装置Ａの現在のモードを表すモード値や、積層電極体３６に供給すべき電流値を後述の電解電流供給回路４９に指示するための電解電流値、ＬＥＤ３４の発光色を後述のＬＥＤドライブ回路に指示するための発光色値等が記憶される。
【００６２】
ＲＴＣ（Real Time Clock）４８は、後述の割込処理を実行するための基準となるクロックパルスを発生させるためのものである。ＣＰＵ４５は、処理を実行している状態であっても、このＲＴＣ４８から所定の周期（例えば２ミリ秒）毎に発生されるクロックパルスに応じて処理を中断させ割込処理を実行する。
【００６３】
また制御部２６は、電解電流供給回路４９やＬＥＤドライブ回路５０が備えられている。
【００６４】
電解電流供給回路４９は、蓄電部２５より供給される電力を元に、所定の電流を積層電極体３６に対し供給するための回路である。電解電流供給回路４９はＲＡＭ４７の電解電流値を監視しており、電解電流値に応じた電流を積層電極体３６に供給する。
【００６５】
ＬＥＤドライブ回路５０は、ＬＥＤ３４を所定の発光色で発光させるための回路である。ＬＥＤドライブ回路５０はＲＡＭ４７の発光色値を監視しており、所定の色と対応する値に応じた色でＬＥＤ３４を発光させる。
【００６６】
また、制御部２６には、スイッチ３３、積層電極体３６、ＬＥＤ３４が接続されており、制御部２６におけるプログラムの実行状況に応じて参照されたり、制御駆動するよう構成している。
【００６７】
例えば、制御部２６は、スイッチ３３を監視しており、水素水生成装置Ａの使用者により操作ボタン３０が操作されたことを検出する。なお、積層電極体３６やＬＥＤ３４は前述の通りであり、ここでは説明を省略する。
【００６８】
次に、制御部２６において実行される処理について、図８及び図９を参照しつつ説明する。図８は制御部２６のＣＰＵ４５にて実行されるメイン処理を示したフローであり、図９は割込処理を示したフローである。
【００６９】
図８に示すように、メイン処理においてＣＰＵ４５はまず、ＲＡＭ４７の所定アドレスを参照し、モード値が０であるか否か、すなわち使用者により待機状態が指示されているか否かについて判断を行う（ステップＳ１１）。ここで、モード値が０であると判断した場合（ステップＳ１１：Ｙｅｓ）には、ＣＰＵ４５は処理をステップＳ１１へ戻す。一方、モード値が０ではないと判断した場合（ステップＳ１１：Ｎｏ）には、ＣＰＵ４５は処理をステップＳ１２へ移す。
【００７０】
ステップＳ１２においてＣＰＵ４５は、モード値が１であるか否か、すなわち、使用者により弱電解モードが指示されているか否かについて判断を行う。ここで、モード値が１であると判断した場合（ステップＳ１２：Ｙｅｓ）には、ＣＰＵ４５は処理をステップＳ１３へ移す。
【００７１】
ステップＳ１３においてＣＰＵ４５は、ＲＡＭ４７の所定アドレスに記憶されている電解電流値を第１の電流値（弱電解モード用の電流値）に設定すると共に、発光色値を第１の色の値（例えば、青色を示す値）に設定し、処理をステップＳ１１へ戻す。
【００７２】
一方、ステップＳ１２においてモード値が１でないと判断した場合（ステップＳ１２：Ｎｏ）には、ＣＰＵ４５は処理をステップＳ１４へ移す。
【００７３】
ステップＳ１４においてＣＰＵ４５は、モード値が２であるか否か、すなわち、使用者により強電解モードが指示されているか否かについて判断を行う。ここでモード値が２であると判断した場合（ステップＳ１４：Ｙｅｓ）には、ＣＰＵ４５は処理をステップＳ１５へ移す。
【００７４】
ステップＳ１５においてＣＰＵ４５は、ＲＡＭ４７の所定アドレスに記憶されている電解電流値を第２の電流値（強電解モード用の電流値）に設定すると共に、発光色値を第２の色の値（例えば、赤色を示す値）に設定し、処理をステップＳ１１へ戻す。
【００７５】
一方、ステップＳ１４においてモード値が２でないと判断した場合（ステップＳ１４：Ｎｏ）には、ＣＰＵ４５は処理をステップＳ１５へ移す。
【００７６】
ステップＳ１５においてＣＰＵ４５は、ＲＡＭ４７の所定アドレスに記憶されているモード値を０に設定し待機状態とすると共に、電解電流値及び発光色値に０を設定して積層電極体３６への電流の供給及びＬＥＤ３４の発光を停止させる。本ステップＳ１５を終えると、ＣＰＵ４５は再びステップＳ１１に処理を戻す。
【００７７】
次に、図９を参照しつつ割込処理について説明する。ＣＰＵ４５は、処理を実行している状態であっても処理を中断させ割込処理を実行する場合がある。ＲＴＣ４８から所定の周期（例えば２ミリ秒）毎に発生されるクロックパルスに応じて、以下の割込処理を実行する。
【００７８】
割込処理においてＣＰＵ４５は、スイッチ３３の状態を確認し、使用者が操作ボタン３０を操作したことによりスイッチ３３が押下されたか否かについて判断を行う。ここでスイッチ３３が押下されたと判断した場合（ステップＳ２１：Ｙｅｓ）には、ＣＰＵ４５はＲＡＭ４７に記憶されているモード値に１を加算し（ステップＳ２２）、処理を分岐前のアドレスに戻す。一方、スイッチ３３が押下されていないと判断した場合（ステップＳ２１：Ｎｏ）には、ＣＰＵ４５は処理をステップＳ２３へ移す。
【００７９】
ステップＳ２３においてＣＰＵ４５は、スイッチ３３が長押しされているか否かについて判断を行う。ここで長押しされていると判断した場合（ステップＳ２３：Ｙｅｓ）には、ＣＰＵ４５はＲＡＭ４７に記憶されているモード値を０に設定し（ステップＳ２４）、処理を分岐前のアドレスに戻す。一方、スイッチ３３が長押しされていないと判断した場合（ステップＳ２３：Ｎｏ）には、ＣＰＵ４５は処理を分岐前のアドレスに戻す。
【００８０】
このように、本実施形態に係る水素水生成装置Ａは上述のような構成を備えているため、以下のように動作する。
【００８１】
すなわち、使用者が水素水生成装置Ａを例えば浴湯中に没し、操作ボタン３０を押下すると、水素水生成装置Ａはまず弱電解モードとなる。弱電解モードでは、光源部３１から第１の色、例えば青色の演出光を放ちつつ、積層電極体３６にて第１の電流値での電解が行われる。
【００８２】
また使用者が再度操作ボタン３０を操作すると、水素水生成装置Ａは強電解モードとなる。強電解モードでは、光源部３１から第２の色、例えば赤色の演出光を放ちつつ、第２の電流値での電解が行われる。
【００８３】
そして、使用者が三度目の操作ボタン３０の操作を行うと、水素水生成装置Ａは待機状態となる。待機状態では、光源部３１は消灯し、積層電極体３６での電解は停止する。
【００８４】
また、いずれのモードにおいても、使用者が操作ボタン３０の長押しをすることにより、消灯及び電解の停止が行われ、水素水生成装置Ａは強制的に待機状態となる。
【００８５】
そして、このような構成を備える水素水生成装置Ａに関し、本実施形態において特筆すべき点としては、筐体の上面に所定幅で平面視略環状に形成した気泡放出領域から放散すべく構成すると共に、前記気泡放出領域の略環状形状に沿った仮想多角形の各辺と対応する前記装置本体上の位置に直線状の積層電極体を各辺の伸延方向に沿ってそれぞれ配置して略環状に配列させた構成が挙げられる。
【００８６】
図１０（ａ）は本実施形態に係る水素水生成装置Ａの上部カバー体２０ａの平面視における説明図であり、図１０（ｂ）は装置本体２１の平面視における説明図である。
【００８７】
図１０（ａ）に示すように、先に言及した如く上部カバー体２０ａの上面には、縁部近傍と非放出領域２４の外縁との間の所定幅を有する環状の放出口１５が形成されており、気泡１３を放出する気泡放出領域１６としている。
【００８８】
一方、図１０（ｂ）に示すように、装置本体２１の上面部には、４つの積層電極体３６が配されているが、この積層電極体３６は、図１０（ａ）にて破線で示す仮想多角形（ここでは、仮想四角形）の各辺と対応する位置に略環状に配列させている。
【００８９】
また、各辺と対応する装置本体２１上に配されたそれぞれの積層電極体３６は、直線状に伸延するその長手方向を、各辺の伸延方向に沿って配置している。
【００９０】
従って、水素水生成装置Ａを水中に没した際に、水中を立ち上る気泡による視覚的な演出効果に優れており、また、一般的な直線状の電極体を採用しながらも略環状の放出口からの概ね均一な気泡の放散を実現することができる。
【００９１】
なお、気泡放出領域１６について略環状とは、気泡放出領域１６が無端状に形成されていることを含むほか、例えば構造上や補強上の理由により個々の放出口１５がリブ６０などで仕切られているが、放出口１５の集合である気泡放出領域１６としては先述の視覚効果を損なわない程度の略均一な気泡放出が可能な構成も含み、更には、気泡放出領域１６が「Ｃ」字状の如く始端と終端が視覚効果を損なわない程度に近い状態で一部欠失した形状であったり、仮想円周上に配された断続的な円弧の集合形状である場合も意味している。
【００９２】
また、気泡放出領域１６と仮想多角形、及び積層電極体の配列について別の態様を例示しつつ更に言及すると、例えば図１１（ａ）に示すような平面視略オーバル形状の上部カバー体６１の場合が挙げられる。
【００９３】
この上部カバー体６１は、中央に操作ボタン露出孔２３が配されたオーバル形状の非放出領域２４の周りに、所定幅でオーバル形状の外形を有する気泡放出領域１６が形成されている。
【００９４】
このようなオーバル中抜き形状の気泡放出領域１６に対し、破線で示すように略菱形の仮想多角形が概念でき、図１１（ｂ）に示すように、筐体内に収容される装置本体６２の上面部には、この略菱形の各辺と対応する位置に、直線状の積層電極体３６を各辺の伸延方向に沿わせつつ略環状に配列しており、水素水生成装置Ａと同様に視覚的な演出効果に優れながら、一般的な直線状の電極体を採用しつつも略環状の放出口からの概ね均一な気泡の放散を実現することができる。
【００９５】
また、気泡放出領域１６の略環状の形状は円や楕円に限られず、図１１（ｃ）に示す上部カバー体６３ように、略矩形状（矩形中抜き形状）の領域であっても良い。この場合、破線で示すような長方形の仮想多角形が概念でき、図１１（ｄ）に示すように、筐体内の装置本体６４の上面には、この長方形の各辺と対応する位置に、直線状の積層電極体６５ａ,６５ｂを各辺の伸延方向に沿わせつつ略環状に配列する。
【００９６】
なお、図１１（ｃ）では、直線方向の伸延長さが長短異なる２種の積層電極体６５ａ,６５ｂを使用しているが、例えば長辺側に配設している積層電極体６５ｂに代えて、短辺側の積層電極体６５ａを複数使用することで、１種類の積層電極体６５ａにて装置本体６４の電解部３２を構成するようにしても良い。
【００９７】
また更に例示すれば、気泡放出領域１６の略環状の形状は、図１１（ｅ）に示した上部カバー体６６のハート型中抜き形状の気泡放出領域１６の如く、環状又は略環状であれば特に限定されないものとすることもできる。
【００９８】
この場合、破線で示すように、内方に凸の角を有する仮想多角形が概念でき、図１１（ｆ）に示すように、筐体内の装置本体６７の上面には、この仮想多角形の各辺と対応する位置に、直線状の積層電極体６８ａ,６８ｂ,６８ｃを各辺の伸延方向に沿わせつつ略環状に配列することによっても実現可能である。
【００９９】
また、本実施形態に係る水素水生成装置Ａの更なる特徴として、略環状に配列した積層電極体の内方領域に光源部３１を配置する構成が挙げられる。
【０１００】
図１０（ｂ）に示すように、光源部３１は各積層電極体３６により囲まれた内方領域に配置しており、この光源部３１より出射された演出光は積層電極体３６を照らすことが可能な位置としている。
【０１０１】
従って、自ずと積層電極体３６にて発生する気泡１３に対しても演出光が照射されることとなり、使用者に対し演出光の色彩による演出効果を生起させることができる。
【０１０２】
また、金属光沢を有する積層電極体３６に向けて出射された演出光は、中央部へ向けて盛り上がる略ドーム状に形成された上部ケーシング２１ａの表面と上部カバー体２０ａの裏面との間で更に反射され、複雑な散乱光を生じさせる。
【０１０３】
従って、この散乱光が放出口１５（気泡放出領域１６）から漏れ出た結果、立ち上がる気泡に対して多角度から演出光が照射されることとなり、更に幻想的な視覚効果を生じさせることができる。
【０１０４】
また、光源部３１を積層電極体３６の上端よりも低い位置に配置した構成についても本実施形態に係る水素水生成装置Ａに特徴的である。図１２は、光源部３１と積層電極体３６との位置関係を示した装置本体２１の側面視における部分拡大図である。
【０１０５】
光源部３１の発光源は制御基板２７上に配されたＬＥＤ３４であるが、図３にて示したように光出射孔２１ｂの底部に配されている関係上、光源部３１としての実質的な演出光出射部は光源キャップ３５の表面であり、図１２に示すように本実施形態に係る水素水生成装置Ａでは、光源部３１を構成する光源キャップ３５の上端位置を、積層電極体３６の上端よりも高さｄだけ低い位置としている。
【０１０６】
従って、図１２にて破線で示す軌跡の如く、光源部３１より出射した演出光は積層電極体３６で上方へ反射されることとなり、気泡１３と光による視覚効果を更に高めることができる。
【０１０７】
上述してきたように、本実施形態に係る水素水生成装置によれば、複数の積層電極体が上面部に配された装置本体と、同装置本体の少なくとも上部をカバーする筐体とを備え、前記積層電極体にて生成した水素気泡を前記筐体の上面に所定幅で平面視略環状に形成した気泡放出領域から放散すべく構成した水面下に没して使用する水素水生成装置であって、前記気泡放出領域の略環状形状に沿った仮想多角形の各辺と対応する前記装置本体上の位置に直線状の積層電極体を各辺の伸延方向に沿ってそれぞれ配置して略環状に配列させたため、水中に没した際に立ち上る気泡による視覚的な演出効果に優れ、しかも、一般的な直線状の電極体を採用しながらも略環状の放出口からの概ね均一な気泡の放散が可能な水素水生成装置を提供することができる。
【０１０８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１０９】
１３  気泡
１４  電解水素水
１５  放出口
１６  気泡放出領域
２０  筐体
２０ａ  上部カバー体
２１  装置本体
２４  非放出領域
２６  制御部
３０ａ  伝達片
３１  光源部
３２  電解部
３６  積層電極体
３７ａ  スリット
４０ａ  スリット
４２ａ  スリット
Ａ  水素水生成装置
ｄ  高さ
【図１】
2020093219.tif 000003
【図２】
2020093219.tif 000004
【図３】
2020093219.tif 000005
【図４】
2020093219.tif 000006
【図５】
2020093219.tif 000007
【図６】
2020093219.tif 000008
【図７】
2020093219.tif 000009
【図８】
2020093219.tif 000010
【図９】
2020093219.tif 000011
【図１０】
2020093219.tif 000012
【図１１】
2020093219.tif 000013
【図１２】
2020093219.tif 000014